(57)【要約】【課題】人為現象を削減するためのハーフトーンスーパーセルの最適化【解決手段】所定の態様かまたはランダムな態様かのいずれかで、それぞれのスーパーセルに関するサブセルの成長を変化させることによって、人為現象の削減が達成される。変化手段は、すべてのグループの和におけるハーフトーン値が等しくなるように選択される。別の実施形態では、ドットを構成する異なる手段のような、サブセルとは異なる所定のパターンを用いることによって、ランダムなグループが選択される。隣接するスーパーセルには異なるパターンが用いられるのが好ましい。さらに別の実施形態では、方法は、スーパーセルの境界に整合していないサブセルパターンを選択する。【選択図】    なし【特許請求の範囲】
【請求項１】
ハーフトーン値を受信するステップと、
それぞれが複数のサブセルを有するスーパーセルのグループを選択するステップと、
それぞれのスーパーセルについてコード値をランダムに選択するステップと、
ランダムに選択されたそのコード値に基づいて、それぞれのスーパーセルにおけるいくつかのサブセルを網かけするステップと、
を備え、
スーパーセルの前記グループについてランダムに選択されたコード値の合計が、前記ハーフトーン値に等しいアーティファクトを低減するためのハーフトーンスーパーセルの最適化方法。
【請求項２】
それぞれのスーパーセルは、それぞれ異なる所定の態様(manner)で成長(growing)するサブセルを有する請求項１に記載の方法。
【請求項３】
各スーパーセル当りのサブセルの数は、１６あるいは６４または１２８である請求項１に記載の方法。
【請求項４】
スーパーセルの前記グループについてランダムに選択されたコード値の合計が、すべてのスーパーセルの平均値に基づいている請求項１に記載の方法。
【請求項５】
ハーフトーン値を受信するステップと、
それぞれが複数のサブセルを有するスーパーセルのグループを選択するステップと、
それぞれのスーパーセルからいくつかのサブセルを選択するためにパターンを用いるステップと、
選択されたサブセルのグループを網かけするステップと、
を備え、
スーパーセルの前記グループについて選択されたサブセルの前記グループの合計が、前記ハーフトーン値に等しい、アーティファクトを低減するためのハーフトーンスーパーセルの最適化方法。
【請求項６】
それぞれのスーパーセルは、隣接するすべてのスーパーセルとは異なる、いくつかのサブセルを選択するためのパターンを有する請求項５に記載の方法。
【請求項７】
各スーパーセル当りのサブセルの数は、１６あるいは６４または１２８である請求項５に記載の方法。
【請求項８】
前記パターンは、正弦波および方形波からなるグループから選択される請求項５に記載の方法。
【請求項９】
ハーフトーン値を受信するステップと、
それぞれが複数のサブセルを有するスーパーセルのグループを選択するステップと、
いくつかのサブセルの少なくとも１つのグループが少なくとも２つのスーパーセルからのセルを含むように、いくつかのサブセルをグループ化するステップと、
それぞれのスーパーセルについてコード値に基づいていくつかのサブセルをランダムに選択するステップと、
ランダムに選択されたそのコード値に基づいて、それぞれのサブセルグループを網かけするステップと、
を備え、
スーパーセルの前記グループについて選択されたサブセルグループの合計が、前記ハーフトーン値に等しい、アーティファクトを低減するためのハーフトーンスーパーセルの最適化方法。
【請求項１０】
それぞれのサブセルグループは、隣接するすべてのスーパーセルのグループとは異なるコード値を有する請求項９に記載の方法。
【請求項１１】
前記ランダムに選択されたサブセルグループは、所定のパターンに基づいて選択される請求項９に記載の方法。
【請求項１２】
サブセルグループの内部における成長の全パターンが、個々のサブセルにおけるものとは異なっている請求項１１に記載の方法。
【請求項１３】
ハーフトーン値の受信手段と、
それぞれが複数のサブセルを有するスーパーセルのグループの選択手段と、
それぞれのスーパーセルについてのコード値のランダムな選択手段と、
ランダムに選択されたそのコード値に基づく、それぞれのスーパーセルにおけるいくつかのサブセルの網かけ手段と
を備え、
スーパーセルの前記グループについてランダムに選択されたコード値の合計が、前記ハーフトーン値に等しい、画像出力装置。
【請求項１４】
それぞれのスーパーセルは、隣接するすべてのスーパーセルとは異なる、ランダムに選択されたサブセルの数を有する請求項１３に記載の画像出力装置。
【請求項１５】
ハーフトーン値の受信手段と、
それぞれが複数のサブセルを有するスーパーセルのグループの選択手段と、
それぞれのスーパーセルからいくつかのサブセルを選択するためにパターンを用いる手段と、
選択されたサブセルのグループの網かけ手段と
を備え、
スーパーセルの前記グループについて選択されたサブセルの前記グループの合計が、前記ハーフトーン値に等しい、画像出力装置。
【請求項１６】
それぞれのスーパーセルは、いくつかのサブセルを選択するための、隣接するすべてのスーパーセルとは異なるパターンを有する請求項１５に記載の画像出力装置。
【請求項１７】
前記パターンは、方形波、正弦波、交差パターン、垂直パターンおよび水平パターンからなるグループから選択される請求項１５に記載の画像出力装置。
【請求項１８】
ハーフトーン値の受信手段と、
それぞれが複数のサブセルを有するスーパーセルのグループの選択手段と、
いくつかのサブセルの少なくとも１つのグループが少なくとも２つのスーパーセルからのセルを含むように、いくつかのサブセルをグループ化する手段と、
それぞれのサブセルグループからのサブセルグループのランダムな選択手段と、
ランダムに選択されたサブセルグループの網かけ手段と、
を備え、
スーパーセルの前記グループについて選択されたサブセルグループの合計が、前記ハーフトーン値に等しい、画像出力装置。
【請求項１９】
それぞれのサブセルグループは、隣接するすべてのスーパーセルとは異なる、ランダムに選択されたサブセルの数を有する請求項１８に記載の画像出力装置。
【請求項２０】
ランダムに選択されたサブセルグループは、所定のパターンに基づいて選択される請求項１８に記載の画像出力装置。
【請求項２１】
それぞれのサブセルグループについての前記所定のパターンは、正弦波および方形波からなる群から選択される請求項２０に記載の画像出力装置。
【請求項２２】
アーティファクトを低減するためのコンピュータープログラム論理が記録されたコンピューター読み取り可能な媒体を有する、ハーフトーンスーパーセル最適化用コンピュータープログラム製品であって、
ハーフトーン値の受信手段と、
それぞれが複数のサブセルを有するスーパーセルのグループの選択手段と、
それぞれのサブセルグループからのサブセルグループのランダムな選択手段と、
ランダムに選択されたサブセルグループの網かけ手段と、
を備え、
スーパーセルの前記グループについて選択されたサブセルグループの合計が、前記ハーフトーン値に等しい、ハーフトーンスーパーセル最適化用コンピュータープログラム製品。
【請求項２３】
それぞれのスーパーセルは、隣接するすべてのスーパーセルとは異なる、ランダムに選択されたサブセルの数を有する請求項２２に記載のコンピュータープログラム製品。
【請求項２４】
アーティファクトを低減するためのコンピュータープログラム論理が記録されたコンピューター読み取り可能な媒体を有する、ハーフトーンスーパーセル最適化用コンピュータープログラム製品であって、
ハーフトーン値の受信手段と、
それぞれが複数のサブセルを有するスーパーセルのグループの選択手段と、
それぞれのスーパーセルからいくつかのサブセルを選択するためにパターンを用いる手段と、
選択されたサブセルのグループの網かけ手段と、
を備え、
スーパーセルの前記グループについて選択されたサブセルの前記グループの合計が、前記ハーフトーン値に等しい、ハーフトーンスーパーセル最適化用コンピュータープログラム製品。
【請求項２５】
それぞれのスーパーセルは、隣接するすべてのスーパーセルとは異なる、ランダムに選択されたサブセルの数を有する請求項２４に記載のコンピュータープログラム製品。
【請求項２６】
前記パターンは、方形波、正弦波、交差パターン、垂直パターンおよび水平パターンからなるグループから選択される請求項２４に記載のコンピュータープログラム製品。
【請求項２７】
アーティファクトを低減するためのコンピュータープログラム論理が記録されたコンピューター読み取り可能な媒体を有する、ハーフトーンスーパーセル最適化用コンピュータープログラム製品であって、
ハーフトーン値の受信手段と、
それぞれが複数のサブセルを有するスーパーセルのグループの選択手段と、
いくつかのサブセルの少なくとも１つのグループが少なくとも２つのスーパーセルからのセルを含むように、いくつかのサブセルをグループ化する手段と、
それぞれのサブセルグループからのサブセルグループのランダムな選択手段と、
ランダムに選択されたサブセルグループの網かけ手段と、
を備え、
スーパーセルの前記グループについて選択されたサブセルグループの合計が、前記ハーフトーン値に等しい、ハーフトーンスーパーセル最適化用コンピュータープログラム製品。
【請求項２８】
それぞれのサブセルグループは、隣接するすべてのスーパーセルとは異なる、ランダムに選択されたサブセルの数を有する請求項２７に記載のコンピュータープログラム製品。
【請求項２９】
ランダムに選択されたサブセルグループは、所定のパターンに基づいて選択される請求項２７に記載のコンピュータープログラム製品。
【請求項３０】
それぞれのサブセルグループについての前記所定のパターンは、正弦波および方形波からなるグループから選択される請求項２９に記載のコンピュータープログラム製品。
【発明の詳細な説明】
【技術分野】
【０００１】
本発明は、一般に画像出力装置に関するものであり、より詳しくはエンジンとハーフトーン化におけるアーティファクト低減に関するものである。
【背景技術】
【０００２】
プリンター、コピー機、ファクシミリ機のような画像出力装置は、入力を受信するとともに、受信した入力に基づいて画像を生成する。この入力にはたいてい、いくつかの濃淡度(shade)あるいは様々な調色度(degree of toning)があるので、画像出力装置は、所望の濃淡度よりもかなり暗いインクまたは他の媒体を用いるときには、所望の濃淡度よりもかなり明るい1枚の紙に印刷することによって、その濃淡度あるいは調色度に似せるように試みる。所望の濃淡度を獲得するための1つの方法は、ハーフトーン化である。ハーフトーン化は、単一の濃淡度のドットを用いてグレースケール画像を再現することであって、グレースケール画像に含まれる単一の濃淡度のドットは、グレーの異なる諧調に似せるために、さまざまに大きさが変更される。異なる大きさのドットを印刷することのできないレーザープリンターでは、所定区域におけるドットの数を変えることによって、ハーフトーン画像を作成する。ハーフトーン化は、原色の定位置におけるグレーの濃淡度を用いてカラー文書の黒版および白版を作成するためにもまた用いられる。
【発明の開示】
【発明が解決しようとする課題】
【０００３】
当業界において周知である簡単なハーフトーン化法には、好ましくない巨視的効果として現れるアーティファクト（画像の乱れ）に関するいくつかの問題がある。例えば、８個のサブセルがある１６×１６のセルについての白黒の初期設定ハーフトーン化パターンによって、ペーパーホワイトからデバイスブラックへの連続階調の錯覚がもたらされることがある。８個のサブセルのすべてが同じように成長すると、すべてのサブセルについてのコード値がまったく同じであり、等しいドット成長の巨視的効果によって、水平線、垂直線、傾斜線のアーティファクト、あるいは繰り返しパターンのアーティファクトが生じることがある。たいていはコード値とともにパターンが用いられるハーフトーン化法には、前記と同じパターンが連続状に繰り返されるため、依然として巨視的効果が現れる。
【０００４】
したがって、線状パターンまたは他のアーティファクトパターンつまり他の巨視的効果を排除するハーフトーン化法についての要望が存在している。
【課題を解決するための手段】
【０００５】
前記の要望に鑑みると、本発明は、一実施形態において、スーパーセルの内部でサブセル成長がランダム化される方法を意図している。例えば、５０パーセントのハーフトーンを望むのであれば、１個のサブセルがそのセルの５０パーセントを成長させ、次のサブセルがそのサブセルの４８パーセントを成長させ、さらに次のスーパーセルがそのサブセルの５２パーセントを成長させる。したがって、これらのスーパーセルの平均値は５０パーセントである。
【０００６】
本発明における別の実施形態では、サブセルは、グループがこれらのスーパーセルの境界と交差するように、グループの中へ選択される。それぞれのグループの内部におけるサブセルはその後、それぞれのグループに関するランダムなバイアス値を用いることによるか、またはそれぞれのグループに関する所定のバイアス値を用いることによるかのいずれかで、成長する。これらのグループもまた、大きさが変化する。例えば、１つのグループには６４個のサブセルが含まれており、別のグループにはわずかに１６個のサブセルが含まれている。スーパーセルの境界に整合していないグループを用いることで、スーパーセルの一部分は成長が促進され、そのスーパーセルの他の部分は濃度が増大する最終結果によって成長が抑制されるかもしれない。
【０００７】
当業者は、本発明をソフトウェア、ハードウェアまたはこれらの組み合わせで実施することができる、ということを容易に認識することができる。本明細書における説明は、黒白画像またはグレースケール画像に向けられているが、本発明はカラープリンターにも等しく適用することができる。
【０００８】
本発明のさらに他の目的は、本発明を実施するために最も適している最良の形態の１つについての単なる例示として、本発明の好ましい実施形態が示されかつ説明されている以下の記載から、当業者に容易に明らかになるであろう。本発明は他の異なる実施形態が可能であり、また、そのいくつかの細部は、本発明から逸脱することなく、様々な自明の観点すべてにおいて修正することができる、ということはわかるであろう。したがって、それらの図面および説明は事実上、例示的なものであって、制限的なものではない、とみなされるであろう。
【０００９】
本明細書の中に組み込まれかつその一部を形成する添付図面は、本発明のいくつかの観点を例示しており、また、この記載と相まって、本発明の原理を説明するのに役立つ。
【発明を実施するための最良の形態】
【００１０】
この説明を通じて、示された好ましい実施形態およびいくつかの実施例は、本発明の限定ではなく、例示とみなすべきである。
【００１１】
本発明は、アーティファクトの低減に関するハーフトーン化の様々な方法を意図している。アーティファクトの低減は、いくつかのサブセルが同じようには成長しないうえ、スーパーセルの境界によって束縛されるように、サブセルの成長を分散させることによって達成することができる。１つの方法は、それぞれのスーパーセルに関するランダムな値に基づいてサブセルを成長させることによるものである。別の方法は、ランダムなパターンに基づいて、好ましくは隣接するスーパーセル同士が異なるパターンを有するような態様で、サブセルを成長させることによるものである。別の方法は、サブセルの成長のグループを分散させることであり、ここで、これらのグループはスーパーセルの境界によって束縛されない。
【００１２】
図３によれば、画像出力装置への入力の出力に対する関係を図示するグラフが示されている。このグラフの下端左側は、最小の入力および出力を表しているが、これは典型的には、インクまたは媒体が用いられておらず、したがってその出力がちょうど普通紙である場合であると思われる。入力軸の右側は、最大入力、つまり典型的には完全な黒の入力を示しており、また、最大出力は、出力に関する軸の上端である。線３０２は、入力が出力に完全にマッピングされている場合のものである。しかしながら、線３０４は、本発明において説明されたシステムに関するランダム化された成長パターンを示している。線３０４によってわかるように、この成長は、いくつかの箇所では、線３０２における成長よりも遅く、他の箇所ではそれよりも速い。線３０４と同様な他の不規則成長パターンは、他のサブセルについて実施することができる。
【００１３】
図１によれば、１６個のサブセル１０２ａ、１０２ｂ、１０２ｃ、１０２ｄ、１０２ｅ、１０２ｆ、１０２ｇ、１０２ｈ、１０２ｉ、１０２ｊ、１０２ｋ、１０２ｍ、１０２ｎ、１０２ｐ、１０２ｑ、１０２ｒを備えるスーパーセル１００が示されている。本明細書における図表は１６個のサブセルからなるスーパーセルを用いているが、当業者が容易に認識することができるように、スーパーセルは、任意の数のサブセル、普通は各スーパーセル当り１６個、６４個、１２８個または２５６個のような１６の倍数個のサブセルを備えるものでもよい。各スーパーセル当り１６個のサブセルに関する本明細書で説明された方法は、他の大きさのスーパーセルに容易に適合させることができる。
【００１４】
ハーフトーンは、スーパーセルのうちのある数のサブセルを網かけする（biasing）ことによって作成される。例えば、５０パーセントのハーフトーンについては、１６個のサブセルのうち８個が網かけされている。これら８個のサブセルは、そのスーパーセルの上半分のもの、例えばサブセル１０２ａ、１０２ｅ、１０２ｉ、１０２ｎ、１０２ｂ、１０２ｆ、１０２ｊ、１０２ｐであってよく、そのスーパーセルの下半分のもの、例えばサブセル１０２ｃ、１０２ｇ、１０２ｋ、１０２ｑ、１０２ｄ、１０２ｈ、１０２ｍ、１０２ｒであってよく、そのスーパーセルの左半分のもの、例えばサブセル１０２ａ、１０２ｂ、１０２ｃ、１０２ｄ、１０２ｅ、１０２ｆ、１０２ｇ、１０２ｈであってよく、そのスーパーセルの右半分のもの、例えばサブセル１０２ｉ、１０２ｊ、１０２ｋ、１０２ｍ、１０２ｎ、１０２ｐ、１０２ｑ、１０２ｒであってよく、そのスーパーセルの１行おきのもの、例えばサブセル１０２ａ、１０２ｅ、１０２ｉ、１０２ｎ、１０２ｃ、１０２ｇ、１０２ｋ、１０２ｑであってよく、そのスーパーセルの１列おきのもの、例えばサブセル１０２ａ、１０２ｂ、１０２ｃ、１０２ｄ、１０２ｉ、１０２ｊ、１０２ｋ、１０２ｍであってよい。本発明とともに用いることによって意図された１つの方法は、スーパーセルのランダムなサブセルを用いること、例えば５０％のハーフトーンについては、サブセル１０２ａ、１０２ｃ、１０２ｆ、１０２ｈ、１０２ｋ、１０２ｊ、１０２ｎ、１０２ｒを用いることである。本発明とともに用いることによって意図された別の方法は、方形波のようなスーパーセルについてのパターンを用いることであり、したがって、例えば５０％のハーフトーンについては、サブセル１０２ｄ、１０２ｃ、１０２ｂ、１０２ａ、１０２ｅ、１０２ｉ、１０２ｊ、１０２ｋを網かけしてもよい。
【００１５】
さて、図２によれば、４個のスーパーセル１００からなる格子２００が示されている。第１のスーパーセルは、サブセル１０２ａ、１０２ｂ、１０２ｃ、１０２ｄ、１０２ｅ、１０２ｆ、１０２ｇ、１０２ｈ、１０２ｉ、１０２ｊ、１０２ｋ、１０２ｍ、１０２ｎ、１０２ｐ、１０２ｑ、１０２ｒを備える。第２のスーパーセルは、サブセル１０４ａ、１０４ｂ、１０４ｃ、１０４ｄ、１０４ｅ、１０４ｆ、１０４ｇ、１０４ｈ、１０４ｉ、１０４ｊ、１０４ｋ、１０４ｍ、１０４ｎ、１０４ｐ、１０４ｑ、１０４ｒを備える。第３のスーパーセルは、サブセル１０６ａ、１０６ｂ、１０６ｃ、１０６ｄ、１０６ｅ、１０６ｆ、１０６ｇ、１０６ｈ、１０６ｉ、１０６ｊ、１０６ｋ、１０６ｍ、１０６ｎ、１０６ｐ、１０６ｑ、１０６ｒを備える。第４のスーパーセルは、サブセル１０８ａ、１０８ｂ、１０８ｃ、１０８ｄ、１０８ｅ、１０８ｆ、１０８ｇ、１０８ｈ、１０８ｉ、１０８ｊ、１０８ｋ、１０８ｍ、１０８ｎ、１０８ｐ、１０８ｑ、１０８ｒを備える。
【００１６】
さて、図５によれば、本発明に係る１つの方法の１例が示されている。例えば、ハーフトーン化が５０％であることが望ましい。本発明の１つの実施形態は、それぞれのスーパーセルが網かけされたサブセルの５０％を有している５０％のハーフトーンを獲得するために、ランダムなパターンを用いることを意図している。例えば、図５においては、第１のスーパーセルのサブセル１０２ａ、１０２ｃ、１０２ｆ、１０２ｈ、１０２ｉ、１０２ｋ、１０２ｐ、１０２ｒが網かけされている。第２のスーパーセルについては、サブセル１０４ｂ、１０４ｄ、１０４ｆ、１０４ｇ、１０４ｊ、１０４ｍ、１０４ｐ、１０４ｑが網かけされている。第３のスーパーセルについては、 １０６ａ、１０６ｂ、１０６ｃ、１０６ｄ、１０６ｉ、１０６ｊ、１０６ｑ、１０６ｒが網かけされている。第４のスーパーセルについては、１０８ｄ、１０８ｆ、１０８ｇ、１０８ｈ、１０８ｉ、１０８ｋ、１０８ｐ、１０８ｒが網かけされている。この特定の実施形態については、それぞれのスーパーセルには、網かけされた５０％のサブセルがある。それぞれのスーパーセルについて、隣接するスーパーセルには異なるランダムな網かけされたサブセルがあるのが好ましい。
【００１７】
ランダム化は、それぞれのサブセルを異なるパターンで成長させることによって、さらに促進することができる。例えば、１個のサブセルは一群のドットとして成長することができ、他のサブセルは楕円形のドットとして成長することができる。
【００１８】
さて、図６によれば、本発明におけるさらに別の実施形態がある。この実施形態では、各スーパーセル当りランダムな数のサブセルに沿って網かけするランダムなサブセルの組み合わせが用いられている。この例では、５０％のハーフトーンが望ましい。第１のスーパーセルには、網かけされた９個のサブセル１０２ａ、１０２ｂ、１０２ｃ、１０２ｄ、１０２ｉ、１０２ｊ、１０２ｋ、１０２ｍ、１０２ｑがある。第２のスーパーセルには、網かけされた７個のサブセル１０４ｅ、１０４ｆ、１０４ｇ、１０４ｈ、１０４ｐ、１０４ｑ、１０４ｒがある。第３のスーパーセルには、網かけされたわずか４個のサブセル１０６ｂ、１０６ｆ、１０６ｊ、１０６ｐがあり、第４のスーパーセルには、網かけされた１２個のサブセル１０８ａ、１０８ｂ、１０８ｃ、１０８ｅ、１０８ｆ、１０８ｇ、１０８ｉ、１０８ｊ、１０８ｋ、１０８ｎ、１０８ｐ、１０８ｑがある。これらのスーパーセルにはどれも５０％のハーフトーンはないが、これら４個のスーパーセルすべての集合体は、前記サブセルの合計の５０％が網かけされている。さらにまた、第１のスーパーセルおよび第２のスーパーセルでは垂直なパターンが用いられており、第３のスーパーセルおよび第４のスーパーセルでは水平なパターンが用いられている。
【００１９】
さて、図４によれば、本発明における別の実施形態が示されている。この実施形態では、格子４００は、スーパーセル４０２、４０４、４０６、４０８、４１０、４１２、４１４、４１６、４１８、４２０、４２２、４２４、４２６、４２８、４３０、４３２を備える。この実施形態では、画素の成長はセルの境界に整合していない。例えば、第１グループのサブセル４５０には、スーパーセル４０２、４１０、４０４、４１２からのサブセルがある。第２グループのサブセル４５２には、スーパーセル４１０、４１８と格子４００から離れた他のスーパーセルとからのサブセルがある。第３グループのサブセル４５４には、スーパーセル４１８、４２６と格子４００から離れた他のスーパーセルとからのサブセルがある。第４グループのサブセル４５６には、スーパーセル４１２、４１４、４２０、４２２からのサブセルがある。これらのグループ４５０、４５２、４５４、４５６は、様々な形状とともに、様々な大きさまたは様々なスーパーセル数であってよい。
【００２０】
本発明における好ましい実施形態についての前記説明は、例示および説明の目的のために行われてきた。それは、網羅的であることを意図するものではなく、または、本発明を、開示されたものと寸分違わない形態に限定することを意図するものではない。自明の修正または変更が、前記教示の観点から可能である。この実施形態は、本発明の原理における最良の例示とその実際的な適用とをもたらし、それによって、当業者が、本発明を、様々な実施形態においてかつ様々な変形とともに、意図された特定の用途に適しているように利用することができるようにするために、選択されかつ説明された。このような修正および変形のすべては、特許請求の範囲が適正に法的にかつ公正に権利付与される幅にしたがって解釈されたときに、特許請求の範囲によって決定されたような本発明の範囲内にあるものである。
【図面の簡単な説明】
【００２１】
【図１】１６個のサブセルからなるスーパーセル格子の１例である。
【図２】それぞれが１６個のサブセルを有する４個のスーパーセルの１例である。
【図３】入力に基づいた出力のサブセル成長の１例を例示しているグラフである。
【図４】サブセルのグループがその交差スーパーセル境界から作られている一実施形態である。
【図５】それぞれの中で網かけされたランダムなサブセルを有するスーパーセルの１例である。
【図６】それぞれに関するランダムなパターンとランダムなコード値との組み合わせを用いるスーパーセル格子の１例である。
【符号の説明】
【００２２】
１００・・・スーパーセル、
２００・・・４個のスーパーセル１００からなる格子。
【図１】
2005039818.tif 000002
【図２】
2005039818.tif 000003
【図３】
2005039818.tif 000004
【図４】
2005039818.tif 000005
【図５】
2005039818.tif 000006
【図６】
2005039818.tif 000007